(57)【要約】【課題】この発明は、電源ラインのインピーダンスが変動しても安定した動作を行うことができるテレビドアホンを提供することを課題とする。【解決手段】子機の呼出スイッチが投入されると、電源ライン９上の制御電源電圧ＶＡが８ｖから徐々に上昇する。制御電源電圧ＶＡが所定の第１レベルＶ１を上回ると、ヒステリシス回路１８がオンし、判定用電圧ＶＢが５ｖに上昇する。遅延回路２１による一定時間経過後にオンオフ判定回路１９は内部電源回路１７をオンし、５ｖの内部電源電圧ＶＣが子機内の各回路へ供給される。その後、テレビドアホンがオフ状態になると、電源ライン９上の制御電源電圧ＶＡは徐々に低下し、所定の第２レベルＶ２以下になると、内部電源回路１７がオフとなり、オンオフ判定回路１９もオフ状態となる。【選択図】　　　　図３
2004128625.tif 000002
【特許請求の範囲】
【請求項１】
子機と親機との間で通話がなされると共に子機のカメラで撮影された映像を親機の表示装置で表示するテレビドアホンにおいて、
子機と親機のうち少なくとも一方は、
電源が供給される電源ラインと、
前記電源ラインを介して供給された電源から内部電源電圧を形成する内部電源回路と、
前記電源ラインを介して供給された電源の電圧が所定の第１レベル以上になったときに前記内部電源回路をオンすると共に前記第１レベルより低い所定の第２レベル以下になったときに前記内部電源回路をオフする電源制御手段と
を備えたことを特徴とするテレビドアホン。
【請求項２】
前記電源制御手段は、
前記電源ラインを介して供給された電源の電圧に応じた低レベルの判定用電圧を形成するヒステリシス回路と、
前記ヒステリシス回路から入力された判定用電圧が所定の第３レベル以上になったときに前記電源ラインを介して供給された電源の電圧が所定の第１レベル以上になったと判断して前記内部電源回路をオンするオンオフ判定回路と
を有する請求項１に記載のテレビドアホン。
【請求項３】
前記電源制御手段は、前記オンオフ判定回路が前記内部電源回路をオンしてから所定時間経過後に前記ヒステリシス回路をオフさせるヒステリシスオフ回路を有する請求項２に記載のテレビドアホン。
【請求項４】
前記オンオフ判定回路は、前記ヒステリシスオフ回路により前記ヒステリシス回路がオフした後は前記内部電源回路で形成された内部電源電圧を入力する請求項３に記載のテレビドアホン。
【請求項５】
前記電源制御手段は、前記ヒステリシス回路から前記オンオフ判定回路への判定用電圧の入力を遅延させる遅延回路を有する請求項２〜４のいずれか一項に記載のテレビドアホン。
【請求項６】
子機と親機との間で通話がなされると共に子機のカメラで撮影された映像を親機の表示装置で表示するテレビドアホンにおいて、
子機と親機のうち少なくとも一方に対して外線を介して電源を供給する電源部を備え、この電源部は、高インピーダンスとするための抵抗を含む電源供給回路と、前記電源供給回路の前記抵抗を利用して電圧を監視することにより短絡を検出する短絡検出回路とを有することを特徴とするテレビドアホン。
【請求項７】
前記短絡検出回路により短絡が検出されたときに前記電源供給回路からの電源の供給を制限する電源制限手段を備えた請求項６に記載のテレビドアホン。
【請求項８】
前記電源部は、監視電圧の短期の電圧変動を吸収するための遅延回路を有し、監視電圧は前記遅延回路を介して前記短絡検出回路に入力される請求項６または７に記載のテレビドアホン。
【発明の詳細な説明】
【０００１】
【発明の属する技術分野】
この発明は、テレビドアホンに係り、特に子機と親機の間で通話がなされると共に子機のカメラで撮影された映像を親機の表示装置で表示するテレビドアホンに関する。
【０００２】
【従来の技術】
従来から、ドアの外側に配置された子機と屋内の親機との間で呼び出しや通話を行うドアホンが使用されているが、子機に撮影用のカメラを取り付けると共に親機に映像表示用の表示部を備え、呼び出し及び通話の機能に加えて、子機のカメラで訪問者等を撮影し、その映像を親機の表示部に表示するテレビドアホンが使用されつつある（例えば、特許文献１参照）。
【０００３】
【特許文献１】
特開平１０−２４３３８１号公報
【０００４】
この種のテレビドアホンでは、親機と子機とが電源ラインを介して互いに接続され、この電源ラインを介して親機から子機へ電源を供給すると共に音声信号と映像信号とを重畳させて親機と子機との間で伝送している。親機には、例えば商用１００ｖの電源を取り入れて２４ｖあるいは８ｖの制御電源電圧を形成し、この制御電源電圧を電源ラインを介して子機へ供給する電源部が内蔵されている。一方、子機には、親機から供給された制御電源電圧の値に基づいてオンオフし、制御電源電圧から例えば５ｖの内部電源電圧を形成して子機内の各回路へ供給する電源回路が内蔵されている。
【０００５】
【発明が解決しようとする課題】
しかしながら、親機と子機とを接続する電源ラインの長さ等に起因してラインインピーダンスが変動すると、子機の電源回路で受け取る制御電源電圧の値も変動し、その結果、子機の電源回路のオンオフ動作を安定して行うことができなくなる虞があった。
また、電源ラインに短絡が発生すると、子機への電源供給に支障を来し、テレビドアホンとしての所定の動作を行うことができなくなるという問題があった。
この発明はこのような問題点を解消するためになされたもので、電源ラインのインピーダンスが変動しても安定した動作を行うことができるテレビドアホンを提供することを目的とする。
また、この発明は、電源ラインに発生した短絡を検出することができるテレビドアホンを提供することも目的としている。
【０００６】
【課題を解決するための手段】
この発明に係る第１のテレビドアホンは、子機と親機との間で通話がなされると共に子機のカメラで撮影された映像を親機の表示装置で表示するテレビドアホンにおいて、子機と親機のうち少なくとも一方は、電源が供給される電源ラインと、電源ラインを介して供給された電源から内部電源電圧を形成する内部電源回路と、電源ラインを介して供給された電源の電圧が所定の第１レベル以上になったときに内部電源回路をオンすると共に前記第１レベルより低い所定の第２レベル以下になったときに前記内部電源回路をオフする電源制御手段とを備えたものである。
【０００７】
好ましくは、電源制御手段は、電源ラインを介して供給された電源の電圧に応じた低レベルの判定用電圧を形成するヒステリシス回路と、ヒステリシス回路から入力された判定用電圧が所定の第３レベル以上になったときに電源ラインを介して供給された電源の電圧が所定の第１レベル以上になったと判断して内部電源回路をオンするオンオフ判定回路とを有している。
さらに、電源制御手段は、オンオフ判定回路が内部電源回路をオンしてから所定時間経過後にヒステリシス回路をオフさせるヒステリシスオフ回路を有することが好ましい。
オンオフ判定回路は、ヒステリシスオフ回路によりヒステリシス回路がオフした後は内部電源回路で形成された内部電源電圧を入力するように構成することができる。
また、電源制御手段は、ヒステリシス回路からオンオフ判定回路への判定用電圧の入力を遅延させる遅延回路を有することが好ましい。
【０００８】
この発明に係る第２のテレビドアホンは、子機と親機との間で通話がなされると共に子機のカメラで撮影された映像を親機の表示装置で表示するテレビドアホンにおいて、子機と親機のうち少なくとも一方に対して外線を介して電源を供給する電源部を備え、この電源部は、高インピーダンスとするための抵抗を含む電源供給回路と、電源供給回路の前記抵抗を利用して電圧を監視することにより短絡を検出する短絡検出回路とを有するものである。
【０００９】
短絡検出回路により短絡が検出されたときに電源供給回路からの電源の供給を制限する電源制限手段を備えることが好ましい。
また、電源部が監視電圧の短期の電圧変動を吸収するための遅延回路を有し、遅延回路を介して監視電圧を短絡検出回路に入力させるようにすることもできる。
【００１０】
【発明の実施の形態】
以下、この発明の実施の形態を添付図面に基づいて説明する。
図１にこの発明の実施の形態に係るテレビドアホンの構成を示す。テレビドアホンは、屋内に配置される親機１とドアの外側に配置される子機２とを備えている。
親機１は、子機２との間で音声の授受を行うための音声部３と、子機２で撮影された訪問者等の映像を表示する映像表示部４とを有すると共に、商用１００ｖの電源に接続されてこれら音声部３及び映像表示部４へ内部電源電圧を供給する電源部５を有している。
【００１１】
一方、子機２は、親機１との間で音声の授受を行うための音声部６と、カメラを備えて訪問者等の映像を撮影する撮影部７とを有すると共に、親機１の電源部５から内部電源電圧を受け取って音声部６及び撮影部７へ供給する電源回路８を有している。また、子機２は、訪問者等によって投入される図示しない呼出スイッチを備えている。
そして、親機１の電源部５と子機２の電源回路８とが電源ライン９を介して互いに接続されている。
【００１２】
親機１の電源部５の構成を図２に示す。電源部５は、それぞれ商用電源１００ｖに接続されて動作用の２４ｖの制御電源電圧及び待機用の８ｖの制御電源電圧を形成する第１及び第２の電源形成回路１０及び１１を有し、第１の電源形成回路１０に、電源ライン９を高インピーダンスにするための抵抗Ｒ１〜Ｒ５と短絡検出トランジスタＴｒ１及びＴｒ２を含む定電流源となる電源供給回路１２が接続されている。この電源供給回路１２の出力端と第２の電源形成回路１１の双方に切替スイッチ１３を介して電源ライン９が接続されている。また、電源供給回路１２の抵抗Ｒ５の一端に遅延回路１４を介して短絡検出回路１５が接続され、さらに短絡検出回路１５にＣＰＵ１６が制御されている。短絡検出回路１５は、電源供給回路１２が電源ライン９を高インピーダンスにするための抵抗Ｒ１及びＲ２を利用して電源ライン９の短絡検出を行う。ＣＰＵ１６は、短絡検出回路１５からの検出信号に基づいて切替スイッチ１３の切り替え制御を行う。通常、切替スイッチ１３により第２の電源形成回路１１が選択されて電源ライン９に接続されている。切替スイッチ１３及びＣＰＵ１６によりこの発明の電源制限手段が構成されている。
【００１３】
子機２の電源回路８の構成を図３に示す。電源回路８は、電源ライン９を介して供給された制御電源電圧ＶＡから内部電源電圧ＶＣを形成する内部電源回路１７を有している。
また、電源回路８は、電源ライン９を介して供給された制御電源電圧ＶＡの値に応じた低レベルの判定用電圧ＶＢを形成するヒステリシス回路１８と、ヒステリシス回路１８から入力された判定用電圧ＶＢの値に基づいて内部電源回路１７をオンオフするオンオフ判定回路１９と、オンオフ判定回路１９が内部電源回路１７をオンしてから所定時間経過後にヒステリシス回路１８をオフさせるヒステリシスオフ回路２０と、ヒステリシス回路１８からオンオフ判定回路１９への判定用電圧ＶＢの入力を遅延させる遅延回路２１とを有している。
【００１４】
さらに、内部電源回路１７の出力端とオンオフ判定回路１９の入力端とがダイオード２２及び抵抗２３を介して接続されている。
ヒステリシス回路１８、オンオフ判定回路１９、ヒステリシスオフ回路２０及び遅延回路２１によりこの発明の電源制御手段が構成されている。
【００１５】
次に、この実施の形態に係るテレビドアホンの動作について説明する。
予め、親機１の電源部５内の切替スイッチ１３により第２の電源形成回路１１が電源ライン９に接続されているものとする。商用電源１００ｖから第２の電源形成回路１１により８ｖの待機用の制御電源電圧ＶＡが形成され、切替スイッチ１３及び電源ライン９を介して子機２の電源回路８へ供給される。
ここで、時刻ｔ１に子機２の図示しない呼出スイッチが投入されると、電源ライン９を介して親機１の電源部５内のＣＰＵ１６に呼出スイッチの投入を通知する信号が伝送され、ＣＰＵ１６は切替スイッチ１３を切り替えて電源供給回路１２の出力端を電源ライン９に接続する。これにより、商用電源１００ｖから第１の電源形成回路１０により形成された２４ｖの動作用の制御電源電圧ＶＡが電源供給回路１２、切替スイッチ１３及び電源ライン９を介して子機２の電源回路８へ供給される。
【００１６】
ただし、子機２の電源回路８には、図３に示されるように、電源ライン９に接続されたコンデンサＣが具備されているので、電源ライン９上の制御電源電圧ＶＡは、図４に示されるように、時刻ｔ１における８ｖから徐々に上昇する。なお、このとき、内部電源回路１７はオフ状態にあり、内部電源電圧ＶＣは０ｖであり、ヒステリシス回路１８もオフ状態である。
【００１７】
そして、時刻ｔ２に制御電源電圧ＶＡが所定の第１レベルＶ１を上回ると、ヒステリシス回路１８がオンする。これにより、判定用電圧ＶＢが５ｖ（第３レベル）に上昇する。遅延回路２１により一定時間経過後の時刻ｔ３にオンオフ判定回路１９は電源ライン９上の制御電源電圧ＶＡが所定の第１レベルＶ１に達したと判断して内部電源回路１７をオンする。これにより、内部電源回路１７で５ｖの内部電源電圧ＶＣが形成され、子機２内の各回路へ供給される。その後、制御電源電圧ＶＡは、親機１の第１の電源形成回路１０により形成された２４ｖと等しくなる。
【００１８】
オンオフ判定回路１９が内部電源回路１７をオンした時刻ｔ３から所定時間経過後の時刻ｔ４になると、ヒステリシスオフ回路２０がヒステリシス回路１８の動作をオフさせる。この時刻ｔ４は、内部電源回路１７から５ｖの内部電源電圧ＶＣが発生したときからの充電時定数に基づいて決定される。これにより、ヒステリシス回路１８により供給されていた判定用電圧ＶＢは０ｖとなる。ただし、内部電源回路１７から出力されている５ｖの内部電源電圧ＶＣがダイオード２２及び抵抗２３を介してオンオフ判定回路１９に入力されているため、ヒステリシス回路１８からの電源供給がなくて判定用電圧ＶＢが０ｖとなっても内部電源回路１７はオンオフ判定回路１９によりオンされた状態を持続し、５ｖの内部電源電圧ＶＣが子機２内の各回路へ供給され続ける。
【００１９】
親機１と子機２との間の通話が終了して時刻ｔ５にテレビドアホンがオフ状態になると、親機１の電源部５内のＣＰＵ１６は切替スイッチ１３を切り替えて第２の電源形成回路１１を電源ライン９に接続する。これにより、電源ライン９上の制御電源電圧ＶＡは徐々に低下する。そして、時刻ｔ６に制御電源電圧ＶＡが所定の第２レベルＶ２以下になると、内部電源回路１７がオフとなり、オンオフ判定回路１９もオフ状態となる。
その後、次に子機２の図示しない呼出スイッチが投入されるまで、電源ライン９には待機用の８ｖの制御電源電圧ＶＡが供給されることとなる。
【００２０】
なお、親機１の電源部５から電源ライン９へ２４ｖの動作用の制御電源電圧ＶＡが供給されているときに、何らかの原因により電源ライン９に短絡が発生すると、電源部５の電源供給回路１２内の抵抗Ｒ１、Ｒ２及び短絡検出トランジスタＴｒ２を流れる電流が増大し、遅延回路１４を介して短絡検出回路１５で監視する電圧の値が増加する。これにより、短絡検出回路１５は電源ライン９に短絡が発生したと判断し、ＣＰＵ１６へ検出信号を出力する。ＣＰＵ１６は、この検出信号に基づいて切替スイッチ１３を切り替え、第２の電源形成回路１１を電源ライン９に接続する。
このとき、監視電圧は遅延回路１４を介して短絡検出回路１５に入力されるため、監視電圧の短期の電圧変動はここで吸収され、ノイズ等の瞬間的な電圧変動によって誤動作することが防止される。さらに、抵抗Ｒ２を流れる電流が増大すると、短絡検出トランジスタＴｒ１がオンし、その結果、トランジスタＴｒ３がオフされる。これにより電源ライン９への出力が制限される。この短絡検出トランジスタＴｒ１のオン動作は、短絡検出トランジスタＴｒ２のオン時には不要となるが、遅延回路１４の作用による短い大電流が出力されることもあり、そのような場合の出力防止の機能を有している。
【００２１】
なお、上記の実施の形態では、短絡検出回路１５等を有する電源部５が親機１に内蔵されていたが、このような電源部５を子機２に設けて親機１に電源を供給することもできる。さらに、電源部を親機１及び子機２とは別に設置して親機１及び子機２の双方に電源を供給することも可能である。
同様に、電源制御手段等を有する電源回路８は、親機１に内蔵してもよく、また親機１及び子機２の双方に具備させることもできる。
【００２２】
【発明の効果】
以上説明したように、この発明によれば、電源ラインのインピーダンスが変動しても、電源ライン上の電源電圧が第１レベル以上にまで十分に上昇してから内部電源回路をオンし、第１レベルより低い第２レベル以下になったときに内部電源回路をオフすることができ、安定した動作を行わせると共に簡便にオフされることが可能となる。
また、子機と親機のうち少なくとも一方に対して外線を介して電源を供給する電源部として、高インピーダンスとするための抵抗を含む電源供給回路と、電源供給回路の前記抵抗を利用して電圧を監視することにより短絡を検出する短絡検出回路とを有する電源部を備えれば、短絡検出のための専用の抵抗等の回路素子を用いなくても電源ラインの短絡を検出し、電源供給を制限する等の措置を採ることが可能となる。
【図面の簡単な説明】
【図１】この発明の実施の形態に係るテレビドアホンの構成を示すブロック図である。
【図２】親機の電源部の構成を示すブロック図である。
【図３】子機の電源回路の構成を示すブロック図である。
【図４】子機の電源回路の動作を示すタイミングチャートである。
【符号の説明】
１　親機、２　子機、３，６　音声部、４　映像表示部、５　電源部、７　撮影部、８　電源回路、９　電源ライン、１０　第１の電源形成回路、１１　第２の電源形成回路、１２　電源供給回路、１３　切替スイッチ、１４，２１　遅延回路、１５　短絡検出回路、１６　ＣＰＵ、１７　内部電源回路、１８　ヒステリシス回路、１９　オンオフ判定回路、２０　ヒステリシスオフ回路、２２　ダイオード、２３，Ｃ　コンデンサ、Ｒ１〜Ｒ５　抵抗、Ｔｒ１，Ｔｒ２　短絡検出トランジスタ、Ｔｒ３　トランジスタ。
【図１】
2004128625.tif 000003
【図２】
2004128625.tif 000004
【図３】
2004128625.tif 000005
【図４】
2004128625.tif 000006